(57)【特許請求の範囲】
【請求項１】
前部に開口部を持つ箱本体の内部の左右に、ユニット取付金具を配置した電気機器収納用箱であって、
ユニット取付金具の後端部を箱本体の背面板または箱側面板後部に固定するとともに、ユニット取付金具の前端部を箱本体の開口部に固定し、
これら左右のユニット取付金具間に複数のユニットを橋渡らせて吊り下げるように取り付け、前記複数のユニットを引出可能にしたことを特徴とする電気機器収納用箱。
【請求項２】
前部に開口部を持つ箱本体の内部の左右に、ユニット取付金具を配置した電気機器収納用箱であって、
ユニット取付金具の後端部を箱本体の背面板に固定するとともに、ユニット取付金具の前端部を箱側面板前部に固定し、
これら左右のユニット取付金具間に複数のユニットを橋渡らせて吊り下げるように取り付け、前記複数のユニットを引出可能にしたことを特徴とする電気機器収納用箱。
【請求項３】
ユニット取付金具と箱側面板との間を通風空間部としたことを特徴とする請求項１または２記載の電気機器収納用箱。
【請求項４】
ユニット取付金具のユニット取付部とは反対側を配線部として切り欠いたことを特徴とする請求項１または２記載の電気機器収納用箱。
【請求項５】
ユニット取付金具のユニット取付部と配線部との間にスライドレールを設け、ユニット取付金具の下部の箱側面板との間のスペースを配線余長収納部としたことを特徴とする請求項４記載の電気機器収納用箱。
【発明の詳細な説明】
【技術分野】
【０００１】
本発明は、例えば通信用機器などを収納するに適したラックマウント型の電気機器収納用箱の改良に関するものである。
【背景技術】
【０００２】
ラックマウント型の電気機器収納用箱は、箱の内部に平板状の電子機器ユニットを平積みするためのラックを備えたものが普通であるが、最近では特許文献１に示すように、コ字状のユニット取付金具にユニットを垂直配置した構造のものも広く用いられている。
【０００３】
この特許文献１では、コ字状のユニット取付金具を箱の背面に設けた機器取付基板に取付け、上下の水平板の間にユニットを垂直に配置していた。しかしこの構造においてはコ字状のユニット取付金具が片持ち構造となり、ユニット取付金具の機器取付基板への取付部とユニット取付部（荷重の作用点）との距離が遠くなるため、強度上の問題でユニットの搭載可能重量を低く押えざるを得なかった。
【０００４】
このほか、図８に示すように左右の箱側面板１にユニット取付金具２を取付け、これらのユニット取付金具２、２間にユニット３を吊下げた構造の電気機器収納用箱も用いられている。ユニット取付金具２にはスライドレール４が設けられているので、ユニット３を手前に引き出すことが可能である。
【０００５】
しかしこの図８の構造も、ユニット取付金具２の箱側面板１への固定部と機器取付部（荷重の作用点）までの距離が遠くなるため、強度上の問題でユニットの搭載可能重量を大きくすることが出来ないという問題があった。また、箱側面板１の内側がユニット取付金具２によって閉塞されてしまうために空気の流動が妨げられ、放熱の妨げとなるという問題や、ユニット３への配線作業が行いにくいという問題もあった。
【特許文献１】特開２００３−１４２８５７号公報
【発明の開示】
【発明が解決しようとする課題】
【０００６】
本発明は上記した従来の問題点を解決し、ユニット取付金具の固定点から荷重の作用点までの距離を小さくしユニットの搭載可能重量を大きくすることができるラックマウント型の電気機器収納用箱を提供することを目的とするものである。また本発明のその他の目的は、放熱性及び配線作業性をも改善した電気機器収納用箱を提供することである。
【課題を解決するための手段】
【０００７】
上記の課題を解決するためになされた請求項１の発明は、前部に開口部を持つ箱本体の内部の左右に、ユニット取付金具を配置した電気機器収納用箱であって、ユニット取付金具の後端部を箱本体の背面板または箱側面板後部に固定するとともに、ユニット取付金具の前端部を箱本体の開口部に固定し、これら左右のユニット取付金具間に複数のユニットを橋渡らせて吊り下げるように取り付け、前記複数のユニットを引出可能にしたことを特徴とするものである。
【０００８】
また同一の課題を解決するためになされた請求項２の発明は、前部に開口部を持つ箱本体の内部の左右に、ユニット取付金具を配置した電気機器収納用箱であって、ユニット取付金具の後端部を箱本体の背面板に固定するとともに、ユニット取付金具の前端部を箱側面板前部に固定し、これら左右のユニット取付金具間に複数のユニットを橋渡らせて吊り下げるように取り付け、前記複数のユニットを引出可能にしたことを特徴とするものである。
【０００９】
いずれの発明においても、ユニット取付金具と箱側面板との間を通風空間部とすることが好ましく、ユニット取付金具のユニット取付部とは反対側を配線部として切り欠いた構造とすることが好ましい。また、ユニット取付金具のユニット取付部と配線部との間にスライドレールを設け、ユニット取付金具の下部の箱側面板との間のスペースを配線余長収納部とすることもできる。
【発明の効果】
【００１０】
請求項１及び請求項２の発明では、ユニット取付金具の前端部と後端部の少なくとも一方は箱側面板ではなく、前部に開口部、あるいは背面板に固定してある。左右のユニット取付金具間にユニットを取り付けたときの荷重の作用点はユニット取付金具の内側部付近であり、ユニット取付金具の前端部と後端部とを結ぶ線からの距離はゼロに近くなる。しかもユニット取付金具は両端支持構造となり、従来の片持ち構造ではない。このためユニット取付金具に作用する曲げモーメントは小さくなり、ユニットの搭載可能重量を大きくすることができる。しかもユニット取付金具によって箱本体の強度も向上させることができる。
【００１１】
請求項３の発明では、ユニット取付金具と箱側面板との間を通風空間部としたので、放熱性を向上させることができ、機器の熱対策に有効である。
【００１２】
請求項４の発明ではユニット取付金具のユニット取付部とは反対側を配線部として切り欠いたので、配線が整えられて見栄えがよくなり、機器を追加するような場合にも作業性がよくなる。
【００１３】
請求項５の発明ではユニット取付金具の下部の箱側面板との間のスペースを配線余長収納部としたので、配線の余長収納に便利である。
【発明を実施するための最良の形態】
【００１４】
以下に本発明の好ましい実施形態を示す。
図１〜図６は何れも本発明の実施形態を示す図であり、図１は全体斜視図、図２はユニットを引き出した状態の全体斜視図、図３は要部の拡大斜視図、図４はユニットを引き出した状態の要部の拡大斜視図、図５は平面図、図６はユニット取付金具の単体の斜視図である。
【００１５】
図１と図２において、１０は電気機器収納用箱の箱本体であり、１１は左右の箱側面板、１２は背面板、１３は天板、１４は底板である。箱本体１０の前部はコ字状に屈曲されて開口部１５が形成されており、扉１６が取付けられている。図２に示されるように箱本体１０の左右の上部にユニット取付金具２０が取付けられており、複数の平板状のユニット５０が吊下げられるように取付けられている。
【００１６】
この実施形態のユニット取付金具２０は図６に示す形状であり、垂直断面が逆Ｌ字状の本体部２１の後端部を屈曲させて後部取付部２２とし、また前端部をコ字状に屈曲させて前部取付部２３としてある。図３、図４に示すように本体部２１の垂直面部の内側にはスライドレール２４が装着され、その内側には更に垂直断面が逆Ｌ字状の金具２５が取付けられている。この構造は左右対称であって、これらの金具２５、２５間に複数の平板状のユニット５０が橋渡らせて取付けられている。金具２５はスライドレール２４によって前後方向にスライド自在であるから、ユニット５０を図２、図４のように手前側に引き出すことができる。
【００１７】
この実施形態のユニット取付金具２０は、後端部の後部取付部２２を箱本体１０の背面板１２に溶接等によって固定され、前端部の前部取付部２３を箱本体１０の開口部１５に固定してある。このようにユニット取付金具２０は前後両端を箱本体１０に固定されているため、固定部と荷重支持部との間の距離が小さくなる。このため図８に示した従来構造に比較してユニット５０の搭載可能重量を大きくすることができる。しかもユニット取付金具２０の前端部は強度のある開口部１５に固定され、後端部は背面板１２に固定されているため、ユニット取付金具２０は箱側面板１１に平行な補強部材として機能し、箱本体１０の強度も向上させることができる。
【００１８】
上記のようにユニット取付金具２０の前端部と後端部を箱側面板１１ではなく、開口部１５と背面板１２に固定したので、ユニット取付金具２０と箱側面板１１との間に通風空間部３１を形成することができる。箱本体１０の上部に換気孔を設けるのが普通であるから、ユニット５０に搭載された電子機器の発熱を通風空間部３１から上方へ逃がすことができ、熱対策に有利となる。
【００１９】
またこのユニット取付金具２０は単に箱側面板１１から離れているだけではなく、ユニット取付部とは反対側を配線部３２として切り欠いてある。またこの実施形態のようにユニット５０をスライド可能としたものでは配線に引き出し可能な余長が必要となるが、ユニット取付金具２０の下部の箱側面板１１との間のスペースを配線余長収納部３３としておけば、図４に示すように配線の余長をユニット取付金具２０に巻いて下方に垂れ下がらせておくことができる。この部分は通常はデッドスペースとなる部分であるが配線余長収納部３３として有効に活用することができ、ユニット５０の下部を配線余長収納部とするよりは収納効率がよくなる。
【００２０】
上記の実施形態ではスライドレール２４によってユニット５０をスライド可能としたが、本発明においてはスライド式とすることは必須要件ではなく、固定式としても差し支えない。
【００２１】
また上記の実施形態は請求項１の発明に対応するものであるが、箱本体１０へのユニット取付金具２０の取付方法には様々なバリエーションがあり、図７に示した。
【００２２】
図７のＡはユニット取付金具２０の後端部を箱側面板後部に固定し、前端部は上記の実施形態と同じく開口部１５に固定した例である。図７のＢも同様であるが、前部取付部をストレート状としたものである。図７のＤ，Ｅはユニット取付金具２０の後端部を背面板１２に固定した例であり、Ｄは前端部を開口部１５の裏面に固定したものであり、Ｅは前部取付部をストレート状としたものである。これらは何れも請求項１の発明のバリエーションである。
【００２３】
これに対して図７のＣはユニット取付金具２０の後端部を背面板１２に固定し、前端部を箱側面板前部に固定した例であって、請求項２の発明の実施形態である。この図７のＣのみがユニット取付金具２０の前端部を開口部１５ではなく箱側面板１１に固定しているが、作用効果は請求項１の発明と同様である。
【００２４】
以上に説明したように、本発明によればユニットの搭載可能重量を大きくすることができ、放熱性及び配線等の作業性をも改善することができるなどの多くの効果を得ることができる。
【図面の簡単な説明】
【００２５】
【図１】本発明の実施形態を示す全体斜視図である。
【図２】ユニットを引き出した状態の全体斜視図である。
【図３】要部の拡大斜視図である。
【図４】ユニットを引き出した状態の要部の拡大斜視図である。
【図５】ユニットを収納した状態の平面図である。
【図６】ユニット取付金具の単体の斜視図である。
【図７】ユニット取付金具の取付方法のバリエーションを示す平面図である。
【図８】従来例の説明図である。
【符号の説明】
【００２６】
１  従来例における箱側面板
２  ユニット取付金具
３  ユニット
４  スライドレール
１０  本発明における箱本体
１１  箱側面板
１２  背面板
１３  天板
１４  底板
１５  開口部
１６  扉
２０  ユニット取付金具
２１  本体部
２２  後部取付部
２３  前部取付部
２４  スライドレール
２５  金具
３１  通風空間部
３２  配線部
３３  配線余長収納部
５０  ユニット
【図１】
0004912237.tif 000002
【図２】
0004912237.tif 000003
【図３】
0004912237.tif 000004
【図４】
0004912237.tif 000005
【図５】
0004912237.tif 000006
【図６】
0004912237.tif 000007
【図７】
0004912237.tif 000008
【図８】
0004912237.tif 000009